(57)【要約】【課題】上下かご間の間隔調節が行われるダブルデッキエレベータにおいて、上かごに搭載された冷房装置からの排水を可能にする。【解決手段】上かごから延びる排水管からの排水を、下かごに設けられた貯水タンクに排水するようにし、かつ、この排水管における上下かご間の部分の長さが、上下かごの間隔に応じて伸縮する。【選択図】　図２
2004142919.tif 000002
【特許請求の範囲】
【請求項１】
上かごおよび下かごと、
前記上かごと前記下かごとの間隔を調節する手段と、
前記上かごに設けられた冷房装置と、
前記冷房装置から延びる排水管と、
前記下かごに設けられ、前記排水管からの排水を貯水する貯水タンクと、
を有し、
前記排水管における、前記上かごと前記下かごとの間の部分の長さが、前記上かごと前記下かごとの間隔に応じて伸縮するダブルデッキエレベータ。
【請求項２】
請求項１において、前記排水管は、その先端部が前記貯水タンク内で出入り自由なように、前記貯水タンク内に挿入されているダブルデッキエレベータ。
【請求項３】
請求項１において、前記排水管における、前記上かごと前記下かごとの間の部分が蛇腹状であるダブルデッキエレベータ。
【発明の詳細な説明】
【０００１】
【発明の属する技術分野】
本発明は、冷房装置を有するダブルデッキエレベータに関する。
【０００２】
【従来の技術】
従来、ダブルデッキエレベータは階高が一定な建造物で使用され、上下かご間隔は一定であり、上かごに搭載された冷房装置から発生するドレンを下かごに搭載された貯水タンクへ排水することは、容易なことであった。しかし、階高が一定でない建造物においてダブルデッキエレベータを導入するためには、上下かご間を各階高に合わせて間隔調節を行う（例えば、特許文献１参照。）。
【０００３】
【特許文献１】
特開２００２−１７９３６８号公報
【０００４】
【発明が解決しようとする課題】
従来技術では、上下かご間の間隔調節が行われるダブルデッキエレベータにおける冷房装置の排水については何ら配慮されていなかった。
【０００５】
そこで、本発明の目的は、上下かご間の間隔調節が行われるダブルデッキエレベータにおいて、上かごに搭載された冷房装置からの排水を可能にすることである。
【０００６】
【課題を解決するための手段】
上かごに設けられた冷房装置から延びる排水管からの排水を、下かごに設けられる貯水タンクに排水し、かつ、この排水管における、上かごと下かごとの間の部分の長さが、上かごと下かごとの間隔に応じて伸縮するようにする。
【０００７】
これにより、上かごと下かごの間隔が変動しても、排水を確実に貯水タンクへ排水できる。
【０００８】
【発明の実施の形態】
本発明によるダブルデッキエレベータでは、上かごに垂設された排水管と、下かごに立設された排水受管が、互いに拘束されない構成であり、排水受管の中に上下かご間の変動ストロークよりも十分長い排水管が収められている。そのため、上下かごが間隔調節のため、上下動するとそれに伴い、上かごと下かごの間にある排水管の長さも変動する。あるいは、上かごに垂設された排水管と、下かごに立設された排水受管は、上かごの排水管が上下方向に伸縮自在に構成される。
【０００９】
図１は、本発明を適用したダブルデッキエレベータの全体図を示す。かごレール枠１は、かごレール枠１内にレール６が設置されており、レール６に沿って、上かご２と下かご３が搭載されている。すなわち、上かご２と下かご３は、かごレール枠１内のレール６に沿って、上下方向に移動し、かごレール枠１は、図示されていない昇降路に設置されているレールに沿って昇降移動を行う。かごレール枠１は、かごレール枠１の上部梁にある主索１２と連結されており、図示されていない機械室内にある巻上機により昇降移動を行う。
【００１０】
上かごは、かごレール枠１の上部梁に設置された駆動装置５と連結されており、上かご２と下かご３はパンタグラフ機構の連結装置４と連結している。連結装置４は、かごレール枠１の中間梁と連結されているため、駆動装置５により上かご２が上下移動を行うと下かご３は、右図のように、上かご２の移動方向と反対の方向に移動を行う。これによって、上下階床の位置に合わせて、上下かごの間隔が調節される。また、上かご用冷房装置１０は、上かご２の天井面上部に設置されており、下かご用冷房装置１１は、下かご３の天井面上部に設置されている。
【００１１】
図２は、本発明の第１の実施の形態であるダブルデッキエレベータを図１のＡ方向から見たときの要部拡大図である。
【００１２】
上かご２および下かご３共に、ほぼ同じ構造であり、前柱１３と縦枠１４がかご下枠１５に垂直に取り付けられている。また、かご下枠１５とかご床枠１６の間に防振ゴム１７とダンパ１８が設置されている。
【００１３】
上かご用冷房装置から延びるドレン排水管７ａは上かご２下部で前柱１３に取付けられた排水管固定用ブラケット１９に垂設されている。排水受管兼貯水タンク８は、下かご３に立設されており、下かご用冷房装置から延びる排水管９と連結されている。
【００１４】
上かご２に垂設されたドレン排水管７ａは、下かごに立設された排水受管兼貯水タンク８に挿入され、排水管７ａから排出される冷房装置の排水が排水受管兼貯水タンク８に排水される。また、上かご２から延びるドレン排水管７ａと排水受管兼貯水タンク８は拘束されていない。すなわち、上かご２と下かご３の間隔調整の時に、ドレン排水管７ａの先端部が排水受管兼貯水タンク８内を自由に出入りする。図２（ａ）は上かご２と下かご３の間隔が最大の状態を図示しており、このときドレン排水管７ａは最大長となる。また、ドレン排水管７ａは図２
（ａ）のように上かごと下かごの変動ストロークよりも十分長くなっている。図２（ｂ）は、上かご２と下かご３の間隔が最小の状態を図示しており、このときドレン排水管７ａは最小長となる。また、排水受管兼貯水タンク８は、ドレン排水管７ｂよりも十分長くなっている。従って、駆動装置により上かご２と下かご３間が間隔調節されるとその変動に伴って、上かごに垂設されたドレン排水管
７ａは、下かごに立設された排水受管兼貯水タンク８内を上下方向にスライドし、上かご用冷房装置から延びるドレン排水管７ａにおける上かご２と下かご３の間にある部分の長さが伸縮する。これにより、上下かご間が間隔調節されるダブルデッキエレベータの上かごに設けられた冷房装置のドレンを下かごに設けられた貯水タンクへ排水することが可能となる。
【００１５】
図３は、本発明による第２の実施の形態であるダブルデッキエレベータを図１のＡ方向から見たときの要部拡大図である。
【００１６】
上かご用冷房装置から延びるドレン排水管７ａに、上かご２と下かご３との間で蛇腹状に構成された排水管７ｂが連結されており、その蛇腹状に構成された排水管７ｂは下かご３に立設された排水受管兼貯水タンク８に連結されている。図３（ａ）は上かご２と下かご３の間隔が最大の状態を図示しており、このとき蛇腹状に構成された排水管７ｂは最大長となる。図３（ｂ）は、上かご２と下かご３の間隔が最小の状態を図示しており、このとき蛇腹状に構成された排水管７ｂは最小長となる。従って、駆動装置により上かご２と下かご３間が間隔調節されるとその変動に伴って、蛇腹状に構成された排水管７ｂの長さが伸縮する。これにより、上下かご間が間隔調節されるダブルデッキエレベータの上かごに設けられた冷房装置のドレンを下かごに設けられた貯水タンクへ排水することが可能となる。
【００１７】
【発明の効果】
本発明により、上下かご間の間隔調節可能なダブルデッキエレベータの上かごに設けた冷房装置からの排水が可能になる。
【図面の簡単な説明】
【図１】ダブルデッキエレベータ全体図。
【図２】本発明の第１の実施の形態であるダブルデッキエレベータの要部拡大図。
【図３】本発明の第２の実施の形態であるダブルデッキエレベータの要部拡大図。
【符号の説明】
１…かごレール枠、２…上かご、３…下かご、４…連結装置、５…駆動装置、６…レール、７ａ，９…ドレン排水管、７ｂ…ドレン排水管（蛇腹状）、８…排水受管兼貯水タンク、１０…上かご用冷房装置、１１…下かご用冷房装置、１２…主索、１３…前柱、１４…縦枠、１５…かご下枠、１６…かご床枠、１７…防振ゴム、１８…ダンパ、１９…排水管固定用ブラケット、２０…中間梁。
【図１】
2004142919.tif 000003
【図２】
2004142919.tif 000004
【図３】
2004142919.tif 000005